(57)【要約】【課題】高さ調節装置における係合部分の負担を小さくすると共に破損を防止する。【解決手段】プロジェクタに固設されたハウジング５に脚部材２を出没自在に設け、両者間に脚部材を突出方向に付勢するコイルばね６を設け、ハウジング内にハートカム部７ａを設け、脚部材側にハートカム部に係合する線ばね材製のガイドレバー８を設け、脚部材にチャック溝２ａを設けると共にハウジング側にフック１４を枢支し、操作レバー１３によりフックを傾動してそのチャッキング部１４ａをチャック溝２ａにかみ合わせるようにする。プロジェクタの押し下げ運動の繰り返しによりハートカム手段の係合およびその解除が行われるため、脚部材の収容状態と突出させた使用状態とを簡単な操作で実現できると共に、任意の高さでチャッキングすることにより高さ調節が自在になり、取り扱い性が良い。【選択図】      図２
2005009587.tif 000002
【特許請求の範囲】
【請求項１】
機器に固設されたベース部材と、前記機器の下面に対して出没するように前記ベース部材に支持された脚部材と、前記脚部材を前記ベース部材から突出させる向きに付勢する脚部材付勢手段と、前記脚部材の出没運動に対応して係合およびその解除を繰り返すように前記ベース部材と前記脚部材との間に設けられた係合解除手段とを有することを特徴とする機器の高さ調節装置。
【請求項２】
前記ベース部材と前記脚部材との間に前記脚部材の前記突出方向への変位時の速度を抑制する減速手段を設けたことを特徴とする請求項１に記載の機器の高さ調節装置。
【請求項３】
前記減速手段がエアダンパまたはオイルダンパであることを特徴とする請求項２に記載の機器の高さ調節装置。
【請求項４】
前記脚部材の突出量を任意に決めるべく、前記脚部材と前記ベース部材との間にチャッキング手段を設けると共に前記機器の上面に当該チャッキング手段のチャッキングおよびその解除動作を行わせるための操作レバーを設けたことを特徴とする請求項１乃至請求項３のいずれかに記載の機器の高さ調節装置。
【請求項５】
前記係合解除手段が、ハートカムと当該ハートカムに係合およびその解除可能に変位し得るガイドレバーとからなることを特徴とする請求項１乃至請求項４のいずれかに記載の機器の高さ調節装置。
【請求項６】
前記ハートカム手段による係合状態の位置に前記脚部材を保持可能にするべく、前記脚部材と前記ベース部材との間に前記保持およびその解除を手動操作可能なロック手段を設けたことを特徴とする請求項１乃至請求項５のいずれかに記載の機器の高さ調節装置。
【発明の詳細な説明】
【０００１】
【発明の属する技術分野】
本発明は、機器の高さ調節装置に関するものである。
【０００２】
【従来の技術】
従来、機器の高さ調節装置にあっては種々のものがあり、例えば機器の底面にねじ孔を設けると共にねじ付き脚を用い、ねじ付き脚をねじ孔にねじ込んで高さ調節を行い得るようにしたものがある。また、家具や家電機器などの高さや角度を調整する高さ調整機能付きフットとして、そのフットを構成する脚部材と外装ケースとによりエア作動室を形成し、かつエア作動室をオリフィスを介して大気開放することで、高さ調整時における脚部材の移動速度を緩やかにすることができ、フットに対してダンパ機能を付与し得るため、フットを組み付けた家具や家電機器の急速な跳ね上がりや落ち込みを防止して、微妙な調整を可能とする技術がある（例えば、特許文献１参照。）。
【０００３】
【特許文献１】
特許第３３８７４１４号公報（第３−４頁、第３図）
【０００４】
【発明が解決しようとする課題】
しかしながら、上記高さ調整機能付きフットによる従来技術にあっては、脚部材を突出方向（下方）へ常時に付勢されており、その付勢方向に直交する方向に変位し得る操作部材を設けると共に、脚部材の側面に凹凸部を設け、また操作部材の対応する面に凹凸形状の係合部を設けて、脚部材の凹凸部と係合部との係合により脚部の位置を規制するロック手段を構成している。したがって、その係合力（ロック保持力）を上記突出方向付勢力に抗し得る強い力にする必要があり、また操作部材には曲げ応力が加わるため、係合部分の負担が大きいばかりでなく、ロック保持力が弱い場合にはロックが外れてしまったり係合部分が破損したりする虞がある。また、ロック解除操作の際に脚部材とロック手段との係合状態が完全に解除されない状態で脚部材が移動した場合には係合部分が破損する虞があるという問題がある。さらに、高さ調整時には、機器とは別個に設けられた操作部材（上記係止部材）を操作する必要があり、従来例のように機器の下面に設けられている場合には操作し難いという問題がある。
【０００５】
【課題を解決するための手段】
このような課題を解決して、高さ調節装置における係合部分の負担を小さくして破損を防止すると共に操作性を向上することを実現するために本発明に於いては、機器に固設されたベース部材と、前記機器の下面に対して出没するように前記ベース部材に支持された脚部材と、前記脚部材を前記ベース部材から突出させる向きに付勢する脚部材付勢手段と、前記脚部材の出没運動に対応して係合およびその解除を繰り返すように前記ベース部材と前記脚部材との間に設けられた係合解除手段とを有するものとした。
【０００６】
これによれば、機器に固設したベース部材を脚部材の出没方向に変位させることにより係合解除手段の係合及びその解除が行われるようになり、脚部材の突出方向に対して係合状態となるため、係合解除手段における係合部材が引っ張り方向に負荷を受けるようになり、脚部材の突出方向に対して交差する向きに変位して脚部材と係合させた場合の曲げ応力が発生する構造のものに対して、係合部分の負担を大幅に減少することができる。また、ベース部材が機器に固設されていることから、機器の上面を押し下げ、その押圧力を無くすという操作で、ベース部材を脚部材の出没方向に変位させることができ、操作性が良い。
【０００７】
特に、前記ベース部材と前記脚部材との間に前記脚部材の前記突出方向への変位時の速度を抑制する減速手段を設けると良い。これによれば、使用するべく脚部材を突出させる場合に緩やかに変位させることができるため、機器の上昇動作を高品質に行わせることができる。この場合には、前記減速手段がエアダンパまたはオイルダンパであると良い。
【０００８】
また、前記脚部材の突出量を任意に決めるべく、前記脚部材と前記ベース部材との間にチャッキング手段を設けると共に前記機器の上面に当該チャッキング手段のチャッキングおよびその解除動作を行わせるための操作レバーを設けると良い。これによれば、操作レバーの操作により、脚部材の突出量すなわち使用時の機器の高さを任意の位置に固定することができ、使用の自由度が増大し、使い勝手が向上する。
【０００９】
また、前記係合解除手段が、ハートカムと当該ハートカムに係合離脱可能に変位し得るガイドレバーとからなると良い。これによれば、脚部材の出没運動すなわち機器の押し下げ運動の繰り返しによりハートカム構造による係合およびその解除が行われるため、脚部材を機器内に収容させた状態と突出させた使用状態とを簡単な構造かつ簡単な操作で実現できる。
【００１０】
また、前記ハートカム手段による係合状態の位置に前記脚部材を保持可能にするべく、前記脚部材と前記ベース部材との間に前記保持およびその解除を手動操作可能なロック手段を設けると良い。これによれば、誤動作によりハートカム手段の係合が解除された場合でも、脚部材が突出してしまうことを防止することができる。
【００１１】
【発明の実施の形態】
以下に添付の図面に示された具体例に基づいて本発明の実施の形態について詳細に説明する。
【００１２】
図１は、本発明に基づく機器の高さ調節装置をプロジェクタ１に適用した例を示す側面図である。図に示されるように、プロジェクタ１の中央部の下面から高さ調節装置の脚部材２が突出しており、その脚部材２の下端に十字形のフット３が固設されている。プロジェクタ１は、フット３をテーブルなどの上に載置した状態で図示されないスクリーンに向けて設置される。
【００１３】
脚部材２に対してフット３は摩擦係合ヒンジ４を介して枢支されており、プロジェクタ１を任意の角度に傾けた位置で静止させることができるようになっている。なお、フット３に固着されたブラケット１０の一部を切り起こした一対の切り起こし片間に脚部材２の下面に突設された壁状部を挟持すると共に、それらを貫通するピンにより脚部材２とフット３とが連結され、そのピンの軸線方向端部に摩擦係合部材が設けられて、摩擦係合ヒンジ４が構成されている。
【００１４】
次に、高さ調節装置の構造について図２及び図３を参照して以下に示す。上記脚部材２は、有底円筒状に形成されており、プロジェクタ１の本体に埋設状態に取り付けられたベース部材としての円筒状ハウジング５に同軸的に出没し得るように設けられている。脚部材２とハウジング５との間には同軸的に脚部材付勢手段としてのコイルばね６が介装されており、両者が互いに離反する向きに弾発付勢されている。
【００１５】
ハウジング５の天井部には、その開口を閉塞するカムキャップ７が取り付けられている。カムキャップ７にはハウジング５内に突出する形状のハートカム部７ａが一体に形成されている。なお、ハートカム部７ａはにおける表裏両側に設けられている。このハートカム部７ａと共働してハートカムによる係合および解除を行うために線材を略Ｕ字状に曲折してなるガイドレバー８が脚部材２の円筒状内部に設けられている。
【００１６】
脚部材２の底面に板状のガイドレバー押さえ１８が固設されている。そのガイドレバー押さえ１８は、略Ｕ字状をなす上記ガイドレバー８のそのＵ字状における下辺部を受容する下向き凹部を有し、それによりガイドレバー８を傾動自在に枢支するように設けられている。また、ガイドレバー８の両遊端部をそれぞれ内側に直角に曲折して、互いに対向する一対のロック爪部８ａが形成されている。なお、脚部材２の内周面の下部に形成されたブロックにガイドレバー８の立ち上がり部分の線径よりも広い溝１９が設けられており、その溝１９の幅に対応してガイドレバー８の傾動範囲が規制されている。
【００１７】
このハートカムは公知のハートカム構造と同様であり、脚部材２の没入方向変位により各ロック爪部８ａが表裏の各ハートカム部７ａの溝に入り込んでガイドされるようになっている。ハートカム部７ａの形状とガイドレバー８の傾動運動とにより、脚部材２を最没入位置まで押し込んだ後に戻すことにより、ロック爪部８ａがハートカム部７ａの係合凹部に係合し、さらに押し込んだ後に戻すことにより係合が解除される。このようにして係合解除手段が構成されている。なお、表裏の各ハートカム部７ａの溝における下向き開口部分は、ロック爪部８ａがガイドレバー８の傾動範囲内のどの位置にあってもハートカム部７ａに向けてガイドされるように、表裏合わせてハの字状となるように拡開している。
【００１８】
また、ガイドレバー押さえ１８によりコイルばね６の下側のコイル端部を押さえるようにしても良く、コイルばね６の上側のコイル端部をカムキャップ７に何らかの結合手段により結合しておくことにより、ハウジング５から脚部材２が抜け落ちることを防止することができる。
【００１９】
カムキャップ７の上面には大径のレバーギア９ａ及びそのレバーギア９ａにかみ合う一対の小径のロッドギア９ｂが配設されている。レバーギア９ａはカムキャップ７の中央に突設された軸部により枢支され、各ロッドギア９ｂはカムキャップ７の側縁近傍及びハウジング５の外交フランジ部を上下方向に貫通して設けられたロッド１１の上端部に固設されている。ハウジング５の下端部には半径方向外向きに突設された一対の凹設断面形状のフック支持部１２が設けられている。ロッド１１の下端部がフック支持部１２の底壁を貫通してその下方に突出しており、このようにしてロッド１１の下端部近傍がフック支持部１２により枢支されている。
【００２０】
レバーギア９ａの上部には略矩形状のボス部が形成されており、そのボス部には各ギア９ａ・９ｂを覆い隠す大きさの操作レバー１３が嵌め込まれて、レバーギア９ａに操作レバー１３が一体化されるようになっている。この操作レバー１３を周方向に回すことにより、レバーギア９ａを介して各ロッドギア９ｂが回転し、各ロッド１１が回転する。
【００２１】
上記フック支持部１２の凹設部内にはＬ字形のフック１４が受容されるように配設されている。フック１４は、その曲折部にて枢支されており、Ｌ字形の短辺に相当する部分がハウジング５の下端の下方にて脚部材２の外周面に臨むようにされ、かつその部分に直線的に並べられた複数の歯からなるチャッキング部１４ａが設けられている。脚部材２の対応する部分には上下方向（脚部材２のハウジング５に対する出没方向）に延在する突条が形成されており、その突条の全長に渡ってチャッキング部１４ａの歯に対応する形状のチャック溝２ａが設けられている。
【００２２】
また、フック１４のＬ字形の長辺に相当する部分とフック支持部１２の底面との間にはコイルばね１５が介装されている。このコイルばね１５により、チャッキング部１４ａをチャック溝２ａから離脱させる向きにフック１４が弾発付勢されている。
【００２３】
ロッド１１のフック支持部１２の下方に突出している下端部には逆Ｔ字状になるようにカムレバー１６が結合されている。カムレバー１６は、略矩形断面形状の棒状をなし、長手方向の中央から偏心した位置にてロッド１１と結合されている。そのカムレバー１６の一端部にフック１４のチャッキング部１４ａの背面形状に合わせた形状のカム部１６ａが設けられている。
【００２４】
上記ロッド１１が回転することにより、カムレバー１６は、そのカム部１６ａをチャッキング部１４ａの背面に当接させる位置と、その当接状態から離脱する位置との２位置を取り得るように回転する。具体的にはカムレバー１６が約９０度の範囲で正逆回転すれば良い。上記チャッキング部１４ａの背面にカム部１６ａが当接した状態では、コイルばね１５の弾発付勢力に抗してチャッキング部１４ａを脚部材２側に向けて押し出されるようになっている。その状態から反対方向にロッド１１を回転させることにより、カム部１６ａがチャッキング部１４ａの背面から横に逃げるため、コイルばね１５の弾発付勢力によりフック１４が傾動し、チャッキング部１４ａが脚部材２側から離反する。このようにしてチャッキング手段が構成されている。
【００２５】
また、脚部材２のハウジング５に外囲されている部分には周方向溝が設けられており、その周方向溝にＯリング１７が嵌め込まれている。これによりハウジング５の内部の空室が外部に対して気密にされるため、任意の位置にオリフィスを設けることにより、脚部材２の出没運動を減速する減速手段としてのエアダンパが構成されている。
【００２６】
このようにして構成された高さ調節装置の作動要領について以下に示す。上記した図３は脚部材２が最大に突出した状態を示しているが、この状態からプロジェクタ１を押し下げることにより、脚部材２がハウジング５内に没入し、それに伴ってガイドレバー８の曲折遊端部からなるロック爪部がハートカム部７ａのハート状係合部に係合し得る。その後、プロジェクタ１の押し下げ力を解除しても、図４に示されるように、コイルばね６の弾発力に抗してガイドレバー８とハートカム部７ａとが係合して脚部材２の収容状態が保持されるため、フット３がプロジェクタ１の下面の近接位置に保持され、持ち運び時などにフット３が飛び出していることがなく、持ち運び性が向上し得る。
【００２７】
また、常時、ハウジング５に対して離間する方向に弾発付勢される脚部材２にガイドレバー８が設けられており、脚部材２とハウジング５とを互いに近接させる方向にプロジェクタ１を押し下げた後その押圧力を解除して、コイルばね６の弾発付勢力によって脚部材２とハウジング５とが互いに離間する向きに対してロック爪部８ａとハートカム部７ａとが互いに係合する構成とした。これにより、脚部材２の突出方向の弾発付勢力をもってロック状態（第１のロック状態）を保持する力が得られるため、その保持力を強固にすることができ、第１のロック状態における脚部材２を安定してがたつき無く保持することができる。
【００２８】
なお、図４の脚部材２の収容状態（ハートカムの係合状態）で、上記チャッキング部１４ａにカム部１６ａが当接する位置（チャッキング位置）までカムレバー１６を回転させた状態におけるカムレバー１６のカム部１６ａ側とは相反する側となる後端部に対応する位置にフット３側のブラケット１０の一部を鉤状に切り起こして形成した係止爪１０ａが設けられている。これにより、操作レバー１３をロック解除方向に回してフック１４のチャッキング部１４ａをチャック溝２ａから離脱状態にして、プロジェクタ１をコイルばね６の弾発付勢力に抗して最下位置まで押し下げ、その状態を維持しつつ操作レバー１３をロック位置まで回すと、カムレバー１６の後端部が係止爪１０ａの下側に入り込み、脚部材２の突出方向変位に対して両者が係合するようになっている。このようにして、ロック手段が構成されている。
【００２９】
上記した状態でプロジェクタ１の押し下げ力を解除すると、脚部材２に対してハウジング５すなわちプロジェクタ１がコイルばね６の弾発付勢力により持ち上げられる方向に変位しようとするが、カムレバー１６の後端部が係止爪１０ａに係合して、図４の脚部材２の収容状態が保持される第２のロック状態となる。これにより、例えばプロジェクタ１とフット３とが互いに近づく向きの外力を受けてハートカムによる係合（第１のロック状態）が解除されるようになった場合でも、カムレバー１６の後端部と係止爪１０ａとが係合しており（第２のロック状態）、誤動作により脚部材２が飛び出してしまうことを防止し得る。
【００３０】
使用時には、例えばフット３を机の上に置いた状態で操作レバー１３をロック解除方向に回すことにより、カムレバー１６が回転して係止爪１０ａとの係止状態が解除される。そして、プロジェクタ１を押し下げることにより、ハートカム部７ａに対するロック爪部８ａの係合が解除されて、プロジェクタ１がコイルばね１６の弾発付勢力により自然に上昇し得る。このように、プロジェクタ１を上から押圧するという簡単な操作で、ハートカム係合を解除してプロジェクタ１を持ち上げることができるため操作性が良い。また、脚部材２とハウジング５との略気密性によるエアダンパ効果により、プロジェクタ１の上昇速度を好適に抑えることができ、高級感を出すことができる。
【００３１】
プロジェクタ１を最高位置まで上昇させて、その位置でプロジェクタ１を使用しても良いが、途中の任意の高さにすることもできる。その場合には上昇時にプロジェクタ１を任意の位置で例えば上から押さえ付けるようにして上昇を止め、その位置に保持しつつ操作レバー１３をロック方向に回す。すると、図５に示されるように、チャック溝２ａの対応する位置にチャッキング部１４ａがかみ合って、その位置で脚部材２とハウジング５とが互いに位置決めされる。このようにして、任意の高さにプロジェクタ１を位置決めすることができるため、使い勝手が良い。
【００３２】
また、脚部材２を挟んで一対のフック１４が配設されていることから、各チャッキング部１４ａをチャック溝２ａに係合させた状態では、チャッキング部１４ａにより脚部材２を挟み込むようになり、上記任意の高さでの位置決め時にがたの無いロックを行うことができる。
【００３３】
なお、上記エアダンパ構造の代わりにオイルダンパ構造としても良く、その一例を図６に示す。図において、ハウジング５をプロジェクタ１へ取り付けるためにハウジング５に一体成形して設けた外向フランジ部にオイルダンパ２１を組み付け、脚部２の対応する側面に作動脚２２を設ける。例えば作動脚２２の端部にピストン部およびオリフィスを設け、それらをオイルダンパ２１のオイル室内に変位可能に受容することにより、オイルダンパとして作用させることができる。このようにすることにより、エアダンパ構造のものに対して、エア室のような大きなスペースを設ける必要が無くなり、高さ調節装置全体をコンパクト化し得るため、プロジェクタ１へのレイアウト性が向上する。
【００３４】
なお、図示例では高さ調節を行う機器の例としてプロジェクタを示したが、高さ調節を行う機器であれば良く、プロジェクタに限られるものではない。
【００３５】
【発明の効果】
このように本発明によれば、機器に固設したベース部材を脚部材の出没方向に変位させることにより係合解除手段の係合及びその解除が行われるようになり、脚部材の突出方向に対して係合状態となるため、係合解除手段における係合部材が引っ張り方向に負荷を受けるようになり、脚部材の突出方向に対して交差する向きに変位して脚部材と係合させた場合の曲げ応力が発生する構造のものに対して、係合部分の負担を大幅に減少することができる。また、ベース部材が機器に固設されていることから、機器の上面を押し下げ、その押圧力を無くすという操作で、ベース部材を脚部材の出没方向に変位させることができ、操作性が良い。
【００３６】
特に、ベース部材と脚部材との間にエアダンパやオイルダンパなどの減速手段を設けることにより、使用するべく脚部材を突出させる場合に緩やかに変位させることができるため、機器の上昇動作を高品質に行わせることができる。
【００３７】
また、脚部材とベース部材との間にチャッキング手段を設けると共に機器の上面にその操作用の操作レバーを設けることにより、操作レバーの操作により、脚部材の突出量すなわち使用時の機器の高さを任意の位置に固定することができ、使用の自由度が増大し、使い勝手が向上する。この場合、ハートカム手段の係合およびその解除を行わせるべく機器を押し下げる際の作用点となる機器の上面に操作レバーを設けており、脚部材付勢手段の付勢力に抗して機器を任意の位置に保持しつつチャッキングすることを容易に行うことができる。
【００３８】
また、係合解除手段をハートカムと変位可能なガイドレバーとにより構成することにより、脚部材の出没運動すなわち機器の押し下げ運動の繰り返しによりハートカム構造による係合およびその解除が行われるため、脚部材を機器内に収容させた状態と突出させた使用状態とを簡単な構造かつ簡単な操作で実現できる。
【００３９】
また、ハートカム手段による係合状態の位置に脚部材を保持可能にするロック手段を設けることにより、誤動作によりハートカム手段の係合が解除された場合でも、脚部材が突出してしまうことを防止することができる。
【図面の簡単な説明】
【図１】本発明に基づく機器の高さ調節装置をプロジェクタに適用した例を示す側面図
【図２】高さ調節装置を示す要部透過斜視図。
【図３】高さ調節装置を示す要部破断側面図。
【図４】ハートカムの係合状態を示す図３に対応する図。
【図５】脚部材の任意の突出位置におけるチャッキング状態を示す要部拡大斜視図。
【図６】オイルダンパを用いた例を示す図２に対応する図。
【符号の説明】
１  プロジェクタ
２  脚部材、２ａ  チャック溝
５  ハウジング
６  コイルばね
７  カムキャップ、７ａ  ハートカム部
８  ガイドレバー、８ａ  ロック爪部
１０  ブラケット、１０ａ  係止爪
１３  操作レバー
１４  フック、１４ａ  チャッキング部
１５  コイルばね
１６  カムレバー、１６ａ  カム部
１７  Ｏリング
２１  オイルダンパ
【図１】
2005009587.tif 000003
【図２】
2005009587.tif 000004
【図３】
2005009587.tif 000005
【図４】
2005009587.tif 000006
【図５】
2005009587.tif 000007
【図６】
2005009587.tif 000008